(57)【要約】【課題】電子ペンを用いて、時間や場所を問わず簡単な操作で手書きの情報を所望のアドレスに送信する。【解決手段】手書き情報送信システム１００は、電子ペン１、携帯電話２、サーバ３及び端末４を含む。電子ペン１は、利用者が帳票に文字や絵図を書き、送信先を指定するために使用されるのに伴って、小型カメラが帳票上の特殊なドットパターンを読み取り、画像処理プロセッサがそのドットパターンからペン先の位置情報を割り出し、一連の位置情報から筆跡情報を生成し、内蔵メモリに記憶する。携帯電話２は、電子ペン１から無線通信によって筆跡情報等を受信し、ネットワーク５を介してサーバ３に送信する。サーバ３は、携帯電話２から筆跡情報等を受信し、メールアドレスの登録や、手書きされた情報の復元を行い、その手書き情報の記憶アドレスや手書き情報そのものを指定された送信先のメールアドレス、すなわち、端末４に送信する。【選択図】図１
2008181407.tif 000002
【特許請求の範囲】
【請求項１】
所定のドットパターンを有する用紙と、電子ペンと、前記電子ペンと無線通信可能な携帯端末と、前記携帯端末と通信可能な情報処理装置とを備える手書き情報送信システムであって、
前記電子ペンは、
固有の書式ＩＤを有する前記用紙に当該電子ペンによって手書きされ、その手書きの軌跡を示す手書き情報の送信先番号が指定されるのに伴って移動する際に、前記ドットパターンを逐次読み取るとともに、前記書式ＩＤを読み取る読取部と、
前記読取部が読み取ったドットパターンから前記用紙上の前記電子ペンのペン先位置情報を算出する位置算出部と、
前記電子ペンに固有の利用者ＩＤを予め記憶するとともに、前記読取部が読み取った書式ＩＤ及び前記位置算出部が算出した一連のペン先位置情報を記憶するメモリと、
を備え、
前記携帯端末は、
前記電子ペンから前記メモリに記憶された書式ＩＤ、利用者ＩＤ及びペン先位置情報を含む筆跡元情報を受信し、前記筆跡元情報を前記情報処理装置に送信する第１の通信処理部を備え、
前記情報処理装置は、
前記書式ＩＤごとに、前記用紙上の位置で特定される各領域と、当該領域が有する機能との対応を示す座標系情報と、
前記書式ＩＤ及び前記利用者ＩＤごとに、前記手書き情報の送信先番号と、送信先アドレスとの対応を示すアドレス情報と、
を記憶する記憶部と、
前記携帯端末から前記筆跡元情報を受信し、当該筆跡元情報から前記書式ＩＤ、前記利用者ＩＤ及び前記ペン先位置情報を抽出し、
前記記憶部を参照して、前記書式ＩＤから前記座標系情報を特定し、
前記座標系情報に基づいて、抽出した前記ペン先位置情報から前記手書き情報及び前記送信先番号を復元し、
前記記憶部に記憶されたアドレス情報を参照して、前記書式ＩＤ、前記利用者ＩＤ及び前記送信先番号から前記送信先アドレスを特定し、
前記送信先アドレスに前記手書き情報を送信する第２の通信処理部と、
を備える
ことを特徴とする手書き情報送信システム。
【請求項２】
請求項１に記載の手書き情報送信システムであって、
前記第２の通信処理部は、前記書式ＩＤに応じて、復元した前記手書き情報をＯＣＲ機能によってテキストコード情報に変換し、当該テキストコード情報を前記送信先アドレスに送信する
ことを特徴とする手書き情報送信システム。
【請求項３】
請求項１又は請求項２に記載の手書き情報送信システムであって、
前記送信先アドレスは、メールアドレス又はＦＡＸ番号である
ことを特徴とする手書き情報送信システム。
【請求項４】
電子ペンを用いて、所定のドットパターンを有する用紙に当該電子ペンによって手書きされ、その手書きの軌跡を示す手書き情報の送信先番号が指定されるのに伴って、前記電子ペンから前記用紙に固有の書式ＩＤ、前記電子ペンに固有の利用者ＩＤ及び前記用紙上のペン先位置情報を受信し、前記手書き情報を復元し、前記送信先番号に対応するアドレスに送信する手書き情報送信サーバであって、
前記書式ＩＤごとに、前記用紙上の位置で特定される各領域と、当該領域が有する機能との対応を示す座標系情報と、
前記書式ＩＤ及び前記利用者ＩＤごとに、前記手書き情報の送信先番号と、送信先アドレスとの対応を示すアドレス情報と、
を記憶する記憶部と、
前記記憶部を参照して、受信した前記書式ＩＤから前記座標系情報を特定し、
前記座標系情報に基づいて、受信した前記ペン先位置情報から前記手書き情報及び前記送信先番号を復元し、
前記記憶部に記憶されたアドレス情報を参照して、前記書式ＩＤ、受信した前記利用者ＩＤ及び前記送信先番号から前記送信先アドレスを特定し、
前記送信先アドレスに前記手書き情報を送信する通信処理部と、
を備える
ことを特徴とする手書き情報送信サーバ。
【請求項５】
請求項４に記載の手書き情報送信サーバであって、
前記通信処理部は、前記書式ＩＤに応じて、復元した前記手書き情報をＯＣＲ機能によってテキストコード情報に変換し、当該テキストコード情報を前記送信先アドレスに送信する
ことを特徴とする手書き情報送信サーバ。
【請求項６】
請求項４又は請求項５に記載の手書き情報送信サーバであって、
前記送信先アドレスは、メールアドレス又はＦＡＸ番号である
ことを特徴とする手書き情報送信サーバ。
【発明の詳細な説明】
【技術分野】
【０００１】
本発明は、電子ペンを利用した手書き情報送信システムに関する。
【背景技術】
【０００２】
小型カメラ及び画像処理プロセッサを備えた電子ペンを用いて、特殊なドットパターン（位置符号化パターン）を有する専用用紙に手書きすることによって、書いた文字や絵図をデジタルな画像情報に変換する技術がある。この技術では、電子ペンが専用用紙上を移動する際に、小型カメラが逐次ドットパターンを読み取り、画像処理プロセッサがドットパターンからペン先の位置情報を割り出し、一連の位置情報をまとめて筆跡情報としてメモリに記憶する。そして、他の情報処理装置が、電子ペンから筆跡情報を取得し、その筆跡情報から元々専用用紙に手書きされた画像の情報を復元する。このような特徴を持つ電子ペンの例が特許文献１に開示されている。
【特許文献１】特開２００６−１４１０６２号公報
【発明の開示】
【発明が解決しようとする課題】
【０００３】
ところで、現在、手書きした画像をどこかに送信しようとすれば、ファクシミリを使うか、スキャナで取り込んだ画像情報をメールに添付するといった繁雑な操作を行う必要がある。この操作は、いつでもどこでもできるというわけではなく、ファクシミリやスキャナ付きのＰＣ（Personal Computer）のある場所でなければできない。
【０００４】
本発明は、上記課題を鑑みてなされたものであり、その主たる目的は、電子ペンを用いて、時間や場所を問わず簡単な操作で手書きの情報を所望のアドレスに送信することにある。
【課題を解決するための手段】
【０００５】
上記課題を解決するために、本発明は、所定のドットパターンを有する用紙と、電子ペンと、前記電子ペンと無線通信可能な携帯端末と、前記携帯端末と通信可能な情報処理装置とを備える手書き情報送信システムであって、前記電子ペンが、固有の書式ＩＤを有する前記用紙に当該電子ペンによって手書きされ、その手書きの軌跡を示す手書き情報の送信先番号が指定されるのに伴って移動する際に、前記ドットパターンを逐次読み取るとともに、前記書式ＩＤを読み取る読取部と、前記読取部が読み取ったドットパターンから前記用紙上の前記電子ペンのペン先位置情報を算出する位置算出部と、前記電子ペンに固有の利用者ＩＤを予め記憶するとともに、前記読取部が読み取った書式ＩＤ及び前記位置算出部が算出した一連のペン先位置情報を記憶するメモリとを備え、前記携帯端末が、前記電子ペンから前記メモリに記憶された書式ＩＤ、利用者ＩＤ及びペン先位置情報を含む筆跡元情報を受信し、前記筆跡元情報を前記情報処理装置に送信する第１の通信処理部を備え、前記情報処理装置が、前記書式ＩＤごとに、前記用紙上の位置で特定される各領域と、当該領域が有する機能との対応を示す座標系情報と、前記書式ＩＤ及び前記利用者ＩＤごとに、前記手書き情報の送信先番号と、送信先アドレスとの対応を示すアドレス情報とを記憶する記憶部と、前記携帯端末から前記筆跡元情報を受信し、当該筆跡元情報から前記書式ＩＤ、前記利用者ＩＤ及び前記ペン先位置情報を抽出し、前記記憶部を参照して、前記書式ＩＤから前記座標系情報を特定し、前記座標系情報に基づいて、抽出した前記ペン先位置情報から前記手書き情報及び前記送信先番号を復元し、前記記憶部に記憶されたアドレス情報を参照して、前記書式ＩＤ、前記利用者ＩＤ及び前記送信先番号から前記送信先アドレスを特定し、前記送信先アドレスに前記手書き情報を送信する第２の通信処理部とを備えることを特徴とする。
【０００６】
この構成によれば、用紙、電子ペン及び携帯端末を所持することによって、手書きの情報をいつでもどこでも所望のアドレスに送信することができる。また、予めアドレスを番号に対応させて記憶しておくことによって、送信先アドレスの指定を簡単に行うことができる。さらに、複数のアドレスを指定することによって、手書きの情報を一括して複数の送信先に送信することができる。
【０００７】
また、本発明は、手書き情報送信システムであって、前記第２の通信処理部が、前記書式ＩＤに応じて、復元した前記手書き情報をＯＣＲ機能によってテキストコード情報に変換し、当該テキストコード情報を前記送信先アドレスに送信することを特徴とする。  
この構成によれば、各種注文や各種予約を、従来行っていた携帯端末の繁雑な操作をすることなく、電子ペンで帳票に記入するという自然で簡単な操作により行うことができる。
【０００８】
また、本発明は、手書き情報送信システムであって、前記送信先アドレスが、メールアドレス又はＦＡＸ番号であることを特徴とする。  
この構成によれば、手書き情報を所望の携帯端末、ＰＣ、サーバやＦＡＸに送信することができる。
【０００９】
なお、本発明は、手書き情報送信サーバを含む。また、特許請求の範囲における第１の通信処理部は、実施の形態における無線通信部２１、ネットワーク通信部２２及び処理部２５を合わせたものに相当する。特許請求の範囲における第２の通信処理部及び通信処理部は、実施の形態におけるネットワーク通信部３１及び処理部３４を合わせたものに相当する。その他、本願が開示する課題及びその解決方法は、発明を実施するための最良の形態の欄、及び図面により明らかにされる。
【発明の効果】
【００１０】
本発明によれば、時間や場所を問わず簡単な操作で手書きの情報を所望のアドレスに送信することができる。
【発明を実施するための最良の形態】
【００１１】
以下、図面を参照しながら、本発明を実施するための最良の形態を説明する。
【００１２】
≪システムの構成と概要≫
図１は、手書き情報送信システム１００の構成を示す図である。手書き情報送信システム１００は、電子ペン１、携帯電話２、サーバ３及び端末４を含んで構成される。電子ペン２と、携帯電話２との間は、無線通信（例えば、Bluetooth等）によって通信可能になっている。携帯電話２とサーバ３との間、及び、サーバ３と端末４との間は、ネットワーク５を介して通信可能になっている。ネットワーク５は、例えば、インターネット等によって実現される。
【００１３】
電子ペン１は、利用者が帳票（用紙）に文字や絵図などの画像を書くために使用されるのに伴って、小型カメラ（読取部）が帳票上の特殊なドットパターンを読み取り、画像処理プロセッサ（位置算出部）がそのドットパターンからペン先の位置情報を算出し、一連の位置情報から筆跡情報を生成し、内蔵メモリに記憶する。筆跡情報は、電子ペン１の位置情報、電子ペン１の軌跡（書き順）、電子ペン１の傾き、書く速さ、筆圧及び書いた日時を含む。そして、電子ペン１は、無線通信によって、内蔵メモリに記憶した筆跡情報を携帯電話２に送信する。また、電子ペン１は、利用者に固有の利用者ＩＤを内蔵メモリに記憶しており、筆跡情報を送信する際に利用者ＩＤを付加する。なお、電子ペン１の内部構造や、筆跡情報の生成及び画像情報の復元に関する原理については、特許文献１に詳細に記載されている。
【００１４】
携帯電話２は、電子ペン１から無線通信によって筆跡情報や利用者ＩＤ等を受信し、ネットワーク５を介してサーバ３に送信する。また、携帯電話２は、固有の携帯電話ＩＤを記憶部に記憶している。そして、電子ペン１と、携帯電話２とは、予め利用者ＩＤ及び携帯電話ＩＤをお互いにやり取りし、記憶し合い（ペアリング設定）、無線通信の際にお互いに送信元のＩＤを確認し合うことによって、相互に限定した無線通信を行うことができる。このペアリング設定は、利用者が所定の電子ペン１と、所定の携帯電話２とを常時併用する場合に有効かつ便利な機能である。
【００１５】
サーバ３は、携帯電話２からネットワーク５を介して筆跡情報や利用者ＩＤ等を受信し、メールアドレスの登録や、手書きされた画像の情報の復元を行い、その画像情報の特定情報や画像情報そのものを指定された送信先のメールアドレスに送信する。
【００１６】
端末４は、その送信先となる装置であり、メールアドレスによって特定される携帯電話、ＰＤＡ（Personal Digital Assistance）、ＰＣ、サーバ等が該当する。端末４は、サーバ３から画像情報の特定情報や画像情報そのものを受信し、受信した画像情報をディスプレイに表示する。
【００１７】
以上によれば、利用者が電子ペン１を用いて帳票に手書きすることによって、筆跡情報が携帯電話２を経由してサーバ３に送信され、サーバ３で筆跡情報から手書きされた画像の情報が復元され、画像情報が端末４に送信され、表示される。以下、その詳細について説明する。
【００１８】
≪携帯電話の構成≫
図２は、携帯電話２の構成を示す図である。携帯電話２は、無線通信部２１、ネットワーク通信部２２、操作部２３、表示部２４、処理部２５及び記憶部２６を備える。無線通信部２１は、電子ペン１との無線通信を行う部分であり、例えば、携帯電話２に内蔵されたBluetooth通信機能によって実現される。ネットワーク通信部２２は、ネットワーク５を介した通信を行う部分であり、例えば、携帯電話２に内蔵されたＩＰ（Internet Protocol）通信機能によって実現される。操作部２３は、利用者が携帯電話２の操作を行う部分であり、入力キー等によって実現される。表示部２４は、情報を表示して、利用者に参照させる部分であり、液晶ディスプレイ等によって実現される。
【００１９】
処理部２５は、他の各部間のデータの受渡しや編集を行うことによって、携帯電話２の機能を実現する。処理部２５は、ＣＰＵ（Central Processing Unit）が所定のメモリに格納されたプログラムを実行することによって実現される。記憶部２６は、処理部２５からデータ（携帯電話ＩＤ等）を記憶したり、記憶したデータを読み出したりする部分であり、フラッシュメモリやハードディスク装置等の不揮発性記憶装置によって実現される。
【００２０】
≪サーバの構成≫
図３は、サーバ３の構成を示す図である。サーバ３は、ネットワーク通信部３１、入力部３２、表示部３３、処理部３４及び記憶部３５を備える。ネットワーク通信部３１は、ネットワーク５を介して携帯電話２や端末４と通信を行う部分であり、ＮＩＣ（Network Interface Card）等によって実現される。入力部３２は、オペレータがデータ（例えば、座標系情報）を入力する部分であり、操作ボタン、キーボードやマウス等によって実現される。表示部３３は、処理部３４の指示に従ってデータを表示する部分であり、例えば、液晶ディスプレイによって実現される。処理部３４は、他の各部間のデータの受渡しや編集を行うことによって、サーバ３の機能を実現する。処理部３４は、ＣＰＵが所定のメモリに格納されたプログラムを実行することによって実現される。記憶部３５は、処理部３４からデータ（筆跡変換情報やメールアドレス情報等）を記憶したり、記憶したデータを読み出したりする部分であり、フラッシュメモリやハードディスク装置等の不揮発性記憶装置によって実現される。
【００２１】
≪データの構成≫
図４は、サーバ３の記憶部３５に記憶されるデータの構成を示す図である。図４（ａ）は、筆跡変換情報３５Ａの構成を示す。筆跡変換情報３５Ａは、筆跡情報をコード情報や画像情報に変換する際に必要な情報であり、書式ＩＤ３５Ａ１及び座標系情報３５Ａ２を含むレコードから構成される。書式ＩＤ３５Ａ１は、帳票の書式に固有のＩＤであって、同じ種類の帳票には共通の書式があり、その書式を一意に特定するものである。座標系情報３５Ａ２は、書式ＩＤ３５Ａ１ごとに、２次元（Ｘ−Ｙ）の座標系における各領域と、当該領域が有する機能（送信先番号や手書きメッセージ等）との対応を定義したものであり、筆跡情報に含まれる一連のペン先の位置情報から、指定された数字やアルファベット等のコード情報や手書きされた画像の情報等を復元するために基礎となる情報である。なお、帳票の書式の具体例については、後記する。
【００２２】
図４（ｂ）は、メールアドレス情報３５Ｂの構成を示す。メールアドレス情報３５Ｂは、書式及び利用者ごとに登録番号と、メールアドレスとの対応を示す情報であり、書式ＩＤ３５Ｂ１、利用者ＩＤ３５Ｂ２、登録番号３５Ｂ３及びメールアドレス３５Ｂ４を含むレコードから構成される。書式ＩＤ３５Ｂ１は、帳票の書式に固有のＩＤである。利用者ＩＤ３５Ｂ２は、情報の出所としては電子ペン１の内蔵メモリに記憶された利用者ＩＤであるが、登録番号及びメールアドレスの対応は帳票の書式及び利用者ごとに定義されるべきであるから、書式ＩＤ３５Ｂ１の帳票及び電子ペン１を併用する利用者を特定する意義を有する。登録番号及びメールアドレスの対応は、帳票があっても利用者が分からなければ特定できないし、利用者が分かっていても帳票がなければ特定できないからである。
【００２３】
登録番号３５Ｂ３は、帳票においてメールアドレスの指定を簡単に行うために、メールアドレスとともに予め登録しておく番号である。手書き情報の送信時には、帳票上の送信先番号のいずれかに○をすることで送信先のメールアドレスを指定することができる。メールアドレス３５Ｂ４は、登録番号３５Ｂ３に対応する送信先のメールアドレスであり、手書きされた情報を送信すべき端末４に対応する。
【００２４】
≪帳票の具体例≫
図５〜図７は、電子ペン１で手書きする対象となる帳票の具体例を示す図である。図５は、送信先メールアドレスの登録を行う際に用いる帳票の例を示す。「１．アドレス登録」は、メールアドレスを登録する際に用いる欄であり、登録番号は、メールアドレスを対応させる番号を指定する部分であり、アドレス入力は、メールアドレスのユーザ名、＠（アットマーク）及びドメイン名を指定する部分である。「２．アドレス削除」は、登録されているメールアドレスを削除する際に用いる欄であり、登録番号は、削除する番号を指定する部分である。「３．確認」は、「１．アドレス登録」及び「２．アドレス削除」の欄に記入した内容の取り扱いを指定する欄であり、キャンセルボックスは、記入内容を解除して記入し直す場合にチェックする部分であり、ＯＫボックスは、記入内容を送信する場合にチェックする部分である。
【００２５】
「ペン太さ」は、電子ペン１で手書きした際におけるペン先の軌跡の幅を指定する欄であり、例えば、文字を手書きした場合には、文字の太さを指定することになる。「バッテリー」は、電子ペン１が備えるバッテリーの残容量を知るために用いられる欄であり、電子ペン１で％が表示された帯を上方向又は下方向になぞっていった場合に、電子ペン１が備える表示ランプが点灯したときの、電子ペン１のペン先が示す位置の％表示が、バッテリーの残容量［％］として認識できる。「ペアリング」は、帳票の近くにある電子ペン１及び携帯電話２のペアリング設定を行う場合にチェックする欄である。「ご利用内容確認」の確認ボックスは、利用者のシステムの利用状況を確認したり、グループメール（メーリングリスト）のアドレス、定型文（テンプレート）、写真等を番号登録したりする場合にチェックする部分である。
【００２６】
図６は、送信先メールアドレス等の登録を行う際に用いるメモ用紙の例を示す。「個人」は、図５の帳票でメールアドレスを登録した場合に、その番号に対応したメールアドレス又はその個人名をメモする欄である。また、「グループ」、「Ａ．定型文（テンプレート）」及び「Ｂ．写真」は、各登録番号に関してメモ書きをする欄である。例えば、「グループ」には、お得意様、中学校同窓会等をメモし、「Ａ．定型文（テンプレート）」には、新年ご挨拶、新製品のお知らせ等をメモし、「Ｂ．写真」には、初詣、新製品その１、新製品その２等をメモする。
【００２７】
図７は、手書き情報を送信する際に用いる帳票の例を示す。「１．定型文（テンプレート）を選ぶ」は、図６の「Ａ．定型文（テンプレート）」を選択する欄であり、定型文（テンプレート）の番号を指定する部分である。「２．写真を選ぶ」は、図６の「Ｂ．写真」を選択する欄であり、写真の番号を指定する部分である。「３．手書きメールと写真を重ねる」は、手書き情報を送信する場合に、選択した写真を重ねることを指定する欄である。写真を選択した場合に、この欄を指定しなければ、写真と、手書き情報とが別々に添付されたメールが送信される。「４．予約配信にする」は、手書き情報を送信する場合に、すぐに送信するのではなく、予約した時刻に行う場合に指定する欄であり、年、月、日、時及び分を指定する部分である。
【００２８】
「Ａ．手書きメッセージ」は、手書きする画像を記入する欄であり、カラーを指定する部分と、手書きメッセージの部分とがある。カラーのいずれかの○をチェックすることによって、そのチェック以降は、その色で画像を書くことができる。手書きメッセージには、任意の画像を書くことができる。この際、電子ペン１によって手書きされた軌跡を示す手書きメッセージ（手書き情報）が、ドットパターンとして読み取られる。なお、図面上カラーを指定する部分には、「赤」、「桃」等の色の名前が書かれているが、実際には、色そのものが表示されていてもよい。
【００２９】
「Ｂ．送り先」は、手書きメッセージの送信先を指定する欄であり、個人メール及びグループメールについてそれぞれ１〜２０の番号を選択することができる。「Ｃ．配信」は、１．〜４．、Ａ．及びＢ．の各欄に記入した内容の取り扱いを指定する欄であり、確認ボックスは、ＯＫボックスをチェックした場合に、確認メールを受け取る際にチェックする部分である。キャンセルボックスは、記入した内容を解除して記入し直す場合にチェックする部分である。ＯＫボックスは、記入した内容を送信する場合にチェックする部分である。
【００３０】
なお、図５〜図７に示した帳票は、送信先メールアドレスの登録及び手書き情報の送信という一連の処理を行うためのものであるので、帳票ごとに座標系情報があるのではなく、１つのまとまった帳票として固有の書式ＩＤに対応したグローバルな座標系情報が作成される。例えば、図５に示す帳票の「１．アドレス登録」の部分と、図７の帳票の「１．定型文（テンプレート）を選ぶ」の部分とは、全く異なるＸ−Ｙ座標が割り当てられる。
【００３１】
≪システムの処理  −メールアドレスの登録−≫
次に、手書き情報送信システム１００の処理について説明する。  
図８は、メールアドレス登録の処理を示すフローチャートである。フローチャート上、破線のボックスは、利用者が行う操作であることを示す（他のフローチャートも同様）。まず、利用者は、登録番号の入力を行う（Ｓ８０１）。具体的には、電子ペン１を用いて、図５に示す帳票の「１．アドレス登録」の登録番号のうち、所望の番号を○で囲む。次に、利用者は、メールアドレスの入力を行う（Ｓ８０２）。具体的には、図５に示す帳票の「１．アドレス登録」のアドレス入力欄のキーボードを順番にチェックすることによりユーザ名を入力した後、＠をチェックし、さらにドメイン名（ezweb.ne.jp等）の左側にある矩形の中に○を記入することによりドメイン名を指定する。Ｓ８０１及びＳ８０２の入力操作に伴う電子ペン１の移動によって、電子ペン１が筆跡情報を逐次取得し、内蔵メモリに記憶する（Ｓ８０３）。
【００３２】
利用者は、登録番号の入力（Ｓ８０１）及びメールアドレスの入力（Ｓ８０２）の後、図５に示す帳票の「３．確認」のＯＫボックスをチェックする（Ｓ８０４）。これは、利用者にとっては、登録番号及びメールアドレスの入力が完了した旨を示す。一方、電子ペン１にとっては、内蔵メモリに記憶された筆跡情報を送信するトリガとなる。そこで、電子ペン１は、「３．確認」のＯＫボックスにドットパターンで書かれている書式ＩＤを取得し、コード情報に変換した後、コード化された書式ＩＤを内蔵メモリに記憶する（Ｓ８０５）。そして、電子ペン１は、内蔵メモリに記憶された書式ＩＤ、利用者ＩＤ及び筆跡情報をアドレス登録情報として一括して携帯電話２に無線送信する（Ｓ８０６）。この場合、アドレス登録情報のうち、先頭から所定バイト数のデータが書式ＩＤであり、その次の所定バイト数のデータが利用者ＩＤであり、その次が筆跡情報である。なお、利用者ＩＤは、予め電子ペン１の内蔵メモリに記憶されているものとする。
【００３３】
携帯電話２は、電子ペン１からアドレス登録情報を受信し、そのままサーバ３に送信する（Ｓ８０７）。具体的には、携帯電話２の無線通信部２１が電子ペン１からアドレス登録情報を受信し、処理部２５に渡す。処理部２５は、受けたアドレス登録情報をネットワーク通信部２２に渡す。ネットワーク通信部２２は、受けたアドレス登録情報をネットワーク５経由でサーバ３に送信する。
【００３４】
サーバ３は、携帯電話２からネットワーク５経由でアドレス登録情報を受信する（Ｓ８０８）。具体的には、サーバ３のネットワーク通信部３１がアドレス登録情報を受信し、処理部３４に渡す。次に、処理部３４は、受けたアドレス登録情報から書式ＩＤを抽出し、記憶部３５に記憶された筆跡変換情報３５Ａを参照して、書式ＩＤ３５Ａ１に対応する座標系情報３５Ａ２を特定する（Ｓ８０９）。そして、特定した座標系情報３５Ａ２に基づいて、アドレス登録情報から抽出した筆跡情報から、登録番号及びメールアドレスを特定する（Ｓ８１０）。続いて、記憶部３５のメールアドレス情報３５Ｂを登録する（Ｓ８１１）。具体的には、アドレス登録情報から書式ＩＤ及び利用者ＩＤを抽出し、メールアドレス情報３５Ｂのうち、書式ＩＤ３５Ｂ１及び利用者ＩＤ３５Ｂ２に対応させて、特定した登録番号及びメールアドレスを登録番号３５Ｂ３及びメールアドレス３５Ｂ４に記憶する。
【００３５】
その後、サーバ３は、携帯電話２に登録完了メッセージを送信する（Ｓ８１２）。具体的には、サーバ３の処理部３４が、登録完了メッセージを作成し、ネットワーク通信部３１に渡す。そして、ネットワーク通信部３１が、受けた登録完了メッセージをネットワーク５経由で携帯電話２に送信する。
【００３６】
携帯電話２は、サーバ３からネットワーク５経由で登録完了メッセージを受信し、表示する（Ｓ８１３）。具体的には、携帯電話２のネットワーク通信部２２が、ネットワーク５を介して登録完了メッセージを受信し、処理部２５に渡す。処理部２５は、受けた登録完了メッセージを表示部２４に渡す。そして、表示部２４は、受けた登録完了メッセージを表示する。表示部２４に表示された登録完了メッセージを参照することによって、利用者は、Ｓ８０１及びＳ８０２で入力した登録番号及びメールアドレスがサーバ３に登録されたことを確認することができる。
【００３７】
以上では、帳票、電子ペン１及び携帯電話２を用いてサーバ３にメールアドレスを登録するようにしたが、事前に利用者又はオペレータが、書式ＩＤ、利用者ＩＤ、登録番号及びメールアドレスをサーバ３の入力部３２から入力し、サーバ３の記憶部３５にメールアドレス情報３５Ｂを記憶させておくようにしてもよい。
【００３８】
≪システムの処理  −手書き情報の送信−≫
図９及び図１０は、手書き情報送信の処理を示すフローチャートである。図９を参照すると、まず、利用者は、手書きメッセージの入力を行う（Ｓ９０１）。具体的には、電子ペン１を用いて、図７に示す帳票の「Ａ．手書きメッセージ」の枠の中に所望の画像を手書きする。文字であってもよいし、絵図であってもよい。次に、利用者は、送り先番号の入力を行う（Ｓ９０２）。具体的には、電子ペン１を用いて、図７に示す帳票の「Ｂ．送り先」の番号を○で囲む。そして、Ｓ９０１及びＳ９０２の入力操作に伴う電子ペン１の移動によって、電子ペン１が筆跡情報を逐次取得し、内蔵メモリに記憶する（Ｓ９０３）。
【００３９】
利用者は、手書きメッセージの入力（Ｓ９０１）及び送り先番号の入力（Ｓ９０２）の後、図７に示す帳票の「Ｃ．配信」のＯＫボックスをチェックする（Ｓ９０４）。これは、利用者にとっては、手書きメッセージ及び送り先番号の入力が完了した旨を示す。一方、電子ペン１にとっては、内蔵メモリに記憶された筆跡情報を送信するトリガとなる。そこで、電子ペン１は、「Ｃ．配信」のＯＫボックスにドットパターンで書かれている書式ＩＤを取得し、コード情報に変換した後、コード化された書式ＩＤを内蔵メモリに記憶する（Ｓ９０５）。そして、電子ペン１は、内蔵メモリに記憶された書式ＩＤ、利用者ＩＤ及び筆跡情報を筆跡元情報として一括して携帯電話２に無線送信する（Ｓ９０６）。
【００４０】
携帯電話２は、電子ペン１から筆跡元情報を受信し、そのままサーバ３に送信する（Ｓ９０７）。具体的には、携帯電話２の無線通信部２１が電子ペン１から筆跡元情報を受信し、処理部２５に渡す。処理部２５は、受けた筆跡元情報をネットワーク通信部２２に渡す。ネットワーク通信部２２は、受けた筆跡元情報をネットワーク５経由でサーバ３に送信する。
【００４１】
サーバ３は、携帯電話２からネットワーク５経由で筆跡元情報を受信する（Ｓ９０８）。具体的には、サーバ３のネットワーク通信部３１が筆跡元情報を受信し、処理部３４に渡す。次に、処理部３４は、受けた筆跡元情報から書式ＩＤを抽出し、記憶部３５に記憶された筆跡変換情報３５Ａを参照して、書式ＩＤ３５Ａ１に対応する座標系情報３５Ａ２を特定する（Ｓ９０９）。そして、座標系情報３５Ａ２に基づいて、筆跡元情報から抽出した筆跡情報から、手書きメッセージ（手書き情報）を復元し、記憶部３５に記憶する（Ｓ９１０）。また、座標系情報３５Ａ２に基づいて、筆跡情報から送り先番号を特定する（Ｓ９１１）。
【００４２】
続いて、図１０を参照すると、サーバ３の処理部３４は、手書きメッセージの送信先のメールアドレスを特定する（Ｓ１００１）。具体的には、筆跡元情報から書式ＩＤ及び利用者ＩＤを抽出し、記憶部３５に記憶されたメールアドレス情報３５Ｂを参照して、書式ＩＤ３５Ｂ１、利用者ＩＤ３５Ｂ２及び登録番号３５Ｂ３（特定した送り先番号と同じ）に対応するメールアドレス３５Ｂ４を特定する。そして、そのメールアドレスに対して、手書きメッセージを記憶したサーバ３の記憶部３５のアドレス（ＵＲＬ：Uniform Resource Locator）をネットワーク５経由で送信する（Ｓ１００２）。これは、端末４が携帯電話等である場合には、特に、大容量のファイルが添付されたメールを突然受信することを利用者が嫌がる場合が多いからである。
【００４３】
そのメールアドレスに該当する端末４は、ネットワーク５経由で手書きメッセージの記憶アドレスを受信し、ディスプレイに表示する（Ｓ１００３）。端末４の利用者は、端末４のディスプレイに表示された記憶アドレスを選択する（Ｓ１００４）。この操作をトリガにして、端末４は、記憶アドレスの情報を要求するメッセージをサーバ３に送信する（Ｓ１００５）。
【００４４】
サーバ３は、端末４から記憶アドレスの情報要求メッセージを受信する（Ｓ１００６））。具体的には、サーバ３のネットワーク通信部３１がネットワーク５経由で当該メッセージを受信し、処理部３４に渡す。処理部３４は、受けたメッセージ内の記憶アドレスに従って、記憶部３５に記憶された手書きメッセージを取得し、ネットワーク通信部３１及びネットワーク５経由で端末４に送信する（Ｓ１００７）。
【００４５】
端末４は、サーバ３から手書きメッセージを受信し、ディスプレイに表示する（Ｓ１００８）。これによって、端末４の利用者は、帳票に電子ペン１で書かれた手書きメッセージを参照することができる。
【００４６】
さらに、サーバ３の処理部３４は、手書きメッセージの送信が完了し旨を示すメッセージをネットワーク通信部３１及びネットワーク５経由で携帯電話２に送信する（Ｓ１００９）。携帯電話２は、手書きメッセージの送信完了メッセージを受信し、表示する（Ｓ１０１０）。具体的には、携帯電話２のネットワーク通信部２２が、ネットワーク５を介して送信完了メッセージを受信し、処理部２５に渡す。処理部２５は、受けた送信完了メッセージを表示部２４に渡す。そして、表示部２４は、受けた送信完了メッセージを表示する。表示部２４に表示された送信完了メッセージを参照することによって、利用者は、Ｓ９０１で入力した手書きメッセージがＳ９０２で入力した送り先番号のメールアドレスに送信されたことを確認することができる。
【００４７】
以上の手書き情報送信システム１００を適用した具体的な実施例について、以下に説明する。
【００４８】
≪実施例１≫
手書き情報をＳＮＳ（Social Networking Service）のブログサーバに配信することが考えられる。まず、利用者ごとに、例えば、１０件までのブログ送信用メールアドレスを登録できるようにする。これは、ブログ送信用の帳票を作成し、サーバ３の記憶部３５に筆跡変換情報３５Ａを登録するとともに、その帳票の書式ＩＤ３５Ｂ１及び各利用者ＩＤ３５Ｂ２に対して、１０件までの登録番号３５Ｂ３及びメールアドレス３５Ｂ４の登録が可能な領域を記憶部３５に確保することで実現することができる。ブログ送信用の帳票には、少なくとも１から１０までの送り先番号、手書き画像の記入欄及びＯＫボックスが設定されている。
【００４９】
メールアドレスの登録は、図５に示すような帳票を使って行う。この場合、「個人」及び「グループ」の分類に対して「ブログ」という新分類を追加する。そして、手書き情報をブログサーバに送信する場合には、先に説明したブログ送信用の帳票に対して電子ペン１で、手書き画像を記入し、送り先番号のうち、少なくとも１つを○で囲み、ＯＫボックスをチェックする。サーバ３では、電子ペン１から携帯電話２経由で筆跡元情報を受信し、手書き情報を復元し、送り先のメールアドレスを特定し、当該メールアドレスに当該手書き情報を送信する。ここでは、ブログサーバが送信先なので、先行してサーバ３の記憶部３５のアドレス（ＵＲＬ）を送信することなく、復元した手書き情報をそのままメールに添付して送信する。メールアドレスに該当するブログサーバは、サーバ３から受信した手書き情報をＳＮＳの会員が参照できるように、所定のメモリに設定、記憶する。
【００５０】
≪実施例２≫
筆跡元情報をＦＡＸに配信することが考えられる。まず、利用者ごとに、ＦＡＸ番号を登録できるようにする。これは、ＦＡＸ送信用の帳票を作成し、サーバ３の記憶部３５に筆跡変換情報３５Ａを登録するとともに、その帳票の書式ＩＤ３５Ｂ１及び各利用者ＩＤ３５Ｂ２に対して、登録番号３５Ｂ３及びＦＡＸ番号（メールアドレス３５Ｂ４の代わり）の登録が可能な領域を、記憶部３５に確保することで実現することができる。ＦＡＸ送信用の帳票には、少なくとも送り先番号、手書き画像の記入欄及びＯＫボックスが設定されている。
【００５１】
ＦＡＸ番号の登録は、図５に示すような帳票を使って行う。この場合、数字を使用するので、数字以外の記号は不要になる。そして、手書き情報をＦＡＸに送信する場合には、先に説明したＦＡＸ送信用の帳票に対して電子ペン１で、手書き画像を記入し、送り先番号のうち、少なくとも１つを○で囲み、ＯＫボックスをチェックする。サーバ３では、電子ペン１から携帯電話２経由で筆跡元情報を受信し、手書き情報を復元し、送り先のＦＡＸ番号を特定し、当該ＦＡＸ番号に当該手書き情報を送信する。
【００５２】
この際、サーバ３では、筆跡元情報から抽出した筆跡情報を画像（手書き情報）に変換するが、その変換後の画像はＪＰＥＧ（Joint Photographic Experts Group）形式になる。この画像をＦＡＸ送信するために、さらにＴＩＦＦ（Tagged Image File Format）形式に変換する。ＦＡＸ送信においては、白黒２階調にすることでデータ量を圧縮することできる。すなわち、白の場合、ＲＧＢの各色番号＝２５５、２５５、２５５となり、黒の場合、ＲＧＢの各色番号＝０、０、０となる。しかし、ＪＰＥＧのファイルの白は、必ずしも固定の「２５５、２５５、２５５」ではなく、微妙に変化した白（例えば、「２５４、２５５、２５５」）になっている。そこで、データ量を圧縮するためには、この微妙に変化する白を一律固定の「２５５、２５５、２５５」に変換し、白の個数で表現する。具体的な変換処理としては、筆跡部分はＪＰＥＧ形式で固定の黒（ＲＧＢの各色番号＝０、０、０）に変換されるため、「０、０、０」以外は全て固定の「２５５、２５５、２５５」であると判断し、ＴＩＦＦ形式に変換する。電子ペン１の手書き情報のままでは多大なコストがかかってしまうＦＡＸ送信を、以上の変換処理を行うことによって低コストに行うことができる。
【００５３】
そして、サーバ３は、ＦＡＸ送信の結果を通知するメッセージをメールで携帯電話２に送信する。携帯電話２では、ネットワーク通信部２２が当該メッセージを受信し、処理部２５が前記メッセージを表示部２４に表示する。これによって、利用者は、手書き情報が所望のＦＡＸ番号に正常に送信されたか否かを確認することができる。
【００５４】
なお、ＦＡＸ配信を実施するためには、ＦＡＸ番号や送信料を管理することが必要である。当該管理機能をサーバ３に持たせるようにしてもよいし、別に「ＦＡＸ配信サーバ」なるものを設置して当該管理機能を実現する専用サーバとしてもよい。また、ＦＡＸ送信に係る課金については、課金結果を請求ＤＢ（Data Base）に格納し、現行の請求システムで処理するものとする。
【００５５】
≪実施例３≫
サーバ３で復元した手書き情報をさらにＯＣＲ（Optical Character Reader）機能によってテキストコード情報に変換し、当該テキストコード情報を送信先アドレスに送信することが考えられる。この場合、電子ペン１で手書きするのは、絵図ではなく、文字や数字であり、例えば、帳票として図１１に示すような伝票を用いる。伝票には、スタートボックス、文字や数字の記入枠及び送信ボックスが設定されている。利用者は、電子ペン１を用いて、まずスタートボックスをチェックし、次に記入枠に従って必要事項を記述し、最後に送信ボックスをチェックする。
【００５６】
電子ペン１では、スタートボックスのチェックに伴って、スタートボックス内の伝票記入開始の印を読み取り、その印を認識したことをトリガにして、伝票記入モードに入る。伝票記入モードの間は、電子ペン１のペン先の位置情報を逐次読み取って、一連の位置情報をまとめて筆跡情報としてメモリに記憶する。そして、送信ボックスのチェックに伴って、送信ボックス内の伝票記入終了の印及び書式ＩＤを読み取り、その印を認識したことをトリガにして、伝票記入モードを解除する。続いて、メモリに記憶された筆跡情報、書式ＩＤ及び利用者ＩＤを筆跡元情報として、無線通信で携帯電話２に送信する。携帯電話２は、筆跡元情報を電子ペン１から無線通信で受信し、ネットワーク５を介してサーバ３に送信する。
【００５７】
サーバ３では、携帯電話２から筆跡元情報を受信し、筆跡元情報から伝票に記入された文字や数字の画像情報を復元する。次に、筆跡元情報から抽出した書式ＩＤがＯＣＲ機能に係るものであった場合には、当該画像情報をＯＣＲソフトウェア（ＯＣＲ機能）によってテキストコード情報に変換し、受付処理を行う。そして、書式ＩＤに対応した送信先にテキストコード情報を送信する。例えば、株式注文伝票を示す書式ＩＤであれば、所定の証券会社のサーバに送信し、電車の席を予約する帳票を示す書式ＩＤであれば、所定の鉄道会社又は旅行会社のサーバに送信する。その後、受付処理がＯＫである旨のメッセージを携帯電話２にメールで送信する。携帯電話２では、ネットワーク通信部２２が当該メッセージを受信し、処理部２５が表示部２４に表示する。これによって、当該メッセージが表示部２４に表示されるので、利用者は伝票に記入した情報が受け付けられたことを確認することができる。
【００５８】
以上本発明の実施の形態について説明したが、図１に示す手書き情報送信システム１００内の各部を機能させるために、画像処理プロセッサや処理部で実行されるプログラムをコンピュータにより読み取り可能な記録媒体に記録し、その記録したプログラムをコンピュータに読み込ませ、実行させることにより、本発明の実施の形態に係る手書き情報送信システム１００が実現されるものとする。なお、プログラムをインターネット等のネットワーク経由でコンピュータに提供してもよいし、プログラムが書き込まれた半導体チップ等をコンピュータに組み込んでもよい。
【００５９】
以上説明した本発明の実施の形態によれば、帳票、電子ペン１及び携帯端末２を所持することによって、手書きの画像情報をいつでもどこでも所望のアドレス（携帯端末、ＰＣ、サーバやＦＡＸ等）に送信することができる。また、予めアドレスを番号に対応させて記憶しておくことによって、送信先アドレスの指定を簡単に行うことができる。さらに、複数のアドレスを指定することによって、手書きの画像情報を一括して複数の送信先に送信することができる。
【００６０】
また、サーバ３にＯＣＲ機能を持たせることによって、復元した手書き情報をテキストコード情報に変換することができる。これによれば、例えば、帳票として各種注文や各種予約の書式を有する伝票を使用することによって、電子ペン１で伝票に記入するという自然で簡単な操作で注文や予約を行うことができる。すなわち、利用者は、携帯電話２の煩雑な操作をする必要がなくなる。
【００６１】
以上、本発明を実施するための最良の形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。
【図面の簡単な説明】
【００６２】
【図１】手書き情報送信システムの構成を示す図である。
【図２】携帯電話２の構成を示す図である。
【図３】サーバ３の構成を示す図である。
【図４】サーバ３の記憶部３５に記憶されるデータの構成を示す図であり、（ａ）は筆跡変換情報３５Ａの構成を示し、（ｂ）はメールアドレス情報３５Ｂの構成を示す。
【図５】送信先メールアドレスを登録する際に用いる帳票の例を示す図である。
【図６】送信先メールアドレス等の登録を行う際に用いるメモ用紙の例を示す図である。
【図７】手書き情報を送信する際に用いる帳票の例を示す図である。
【図８】送信先メールアドレス登録の処理を示すフローチャートである。
【図９】手書き情報送信の処理（１／２）を示すフローチャートである。
【図１０】手書き情報送信の処理（２／２）を示すフローチャートである。
【図１１】ＯＣＲ機能によって手書き情報をテキストコード情報に変換する場合に用いる帳票の具体例を示す図である。
【符号の説明】
【００６３】
１００  手書き情報送信システム
１      電子ペン
２      携帯電話（携帯端末）
２１    無線通信部（第１の通信処理部）
２２    ネットワーク通信部（第１の通信処理部）
２５    処理部（第１の通信処理部）
３      サーバ（情報処理装置、手書き情報送信サーバ）
３１    ネットワーク通信部（第２の通信処理部、通信処理部）
３４    処理部（第２の通信処理部、通信処理部）
３５    記憶部
３５Ａ  筆跡変換情報
３５Ａ１  書式ＩＤ
３５Ａ２  座標系情報
３５Ｂ  メールアドレス情報（アドレス情報）
３５Ｂ１  書式ＩＤ
３５Ｂ２  利用者ＩＤ
３５Ｂ３  登録番号
３５Ｂ４  メールアドレス（アドレス）
４      端末
５      ネットワーク
【図１】
2008181407.tif 000003
【図２】
2008181407.tif 000004
【図３】
2008181407.tif 000005
【図４】
2008181407.tif 000006
【図６】
2008181407.tif 000007
【図７】
2008181407.tif 000008
【図８】
2008181407.tif 000009
【図９】
2008181407.tif 000010
【図１０】
2008181407.tif 000011
【図５】
2008181407.tif 000012
【図１１】
2008181407.tif 000013